(57)【要約】      （修正有）【課題】空気の循環効率をより高める構造を有する防水通気性靴底を提供する。【解決手段】防水通気性靴底は、外気と通じている通気孔を備える大底１０、防水通気ユニット４０及び前記通気孔を覆う防水通気膜を備える。前記防水通気ユニットは更に接続環を備える。前記接続環は前記防水通気膜を接続するために、前記防水通気膜の周囲に設置される。前記大底は更に嵌め込み槽１０２を備える。前記嵌め込み槽及び前記通気孔は対応した位置関係にある。前記防水通気ユニットは前記嵌め込み槽の中に収納され、密封される。或いは、前記大底の上部が平坦であり、前記防水通気ユニットは前記接続環により前記大底と結合、密封される。前記防水通気性靴底は更に、前記防水通気ユニット上に対応するように強吸入強排出ユニット６０を備える。【選択図】図１
0003182709.tif 000002
【実用新案登録請求の範囲】
【請求項１】
外気と通じている通気孔を備える大底と、前記通気孔を覆う防水通気膜を含む防水通気ユニットとを備える防水通気性靴底であって、
前記防水通気ユニットは更に接続環を備え、前記接続環は前記防水通気膜の周囲に設置されるともに、前記防水通気膜に結合していることを特徴とする防水通気性靴底。
【請求項２】
前記大底は更に嵌め込み槽を備え、前記嵌め込み槽及び前記通気孔は対応した位置関係にあり、
前記防水通気ユニットは前記嵌め込み槽の内部に収納され、密封されており、
前記嵌め込み槽は前記大底の上部から内部へ凹んだ形状を有し、前記通気孔は前記嵌め込み槽の底部から前記大底の底部へ貫通していることを特徴とする請求項１に記載の防水通気性靴底。
【請求項３】
前記大底は更に嵌め込み槽を備え、前記嵌め込み槽及び前記通気孔は対応した位置関係にあり、
前記防水通気ユニットは前記嵌め込み槽の内部に収納され、密封され、
前記嵌め込み槽は前記大底の上部から前記大底の底部へ貫通しており、
前記大底は更に前記嵌め込み槽を嵌め込み、密封するための嵌め込みユニットを備え、
前記通気孔は前記嵌め込みユニットに設置され、前記嵌め込みユニットの上部から底部まで貫通しており、
前記防水通気ユニットは前記嵌め込みユニット上に設置されることを特徴とする請求項１に記載の防水通気性靴底。
【請求項４】
前記嵌め込み槽は内部に更に凹槽を備え、前記接続環は前記凹槽に収納され、密封されていることを特徴とする請求項２に記載の防水通気性靴底。
【請求項５】
前記大底の底部は更に底部槽を備え、前記底部槽の周囲の長さは前記嵌め込み槽の周囲の長さよりも大きく、
前記嵌め込みユニットは基部及び前記基部に形成される突縁部を備え、
前記突縁部の輪郭は前記嵌め込み槽の周囲にマッチして密封しており、
前記基部の周囲は前記底部槽の周囲にマッチして密封しており、
前記通気孔は前記基部の前記突縁部の内側の部分に設置され、前記部分の上部から前記部分の底部へ貫通していることを特徴とする請求項３に記載の防水通気性靴底。
【請求項６】
前記嵌め込みユニットの前記突縁部の内側に凹槽を備え、前記接続環は前記凹槽に収納され、密封されていることを特徴とする請求項４に記載の防水通気性靴底。
【請求項７】
前記大底の上部が平坦であり、前記防水通気ユニットは前記接続環により前記大底と結合し、密封されており、
或いは、前記大底の上部は前記接続環とマッチする環状凹槽を備え、前記接続環は前記環状凹槽に収納され、密封されていることを特徴とする請求項１に記載の防水通気性靴底。
【請求項８】
前記接続環の内側に突出リングを備え、前記防水通気膜は前記突出リングの表面に結合されることを特徴とする請求項１に記載の防水通気性靴底。
【請求項９】
前記防水通気ユニットは更に布層を備え、前記布層は前記防水通気膜の下部に設置され、前記防水通気膜と共に前記接続環に結合されることを特徴とする請求項１に記載の防水通気性靴底。
【請求項１０】
前記防水通気性靴底は更に、
前記防水通気ユニット上に対応して設置される強吸入強排出ユニットを備え、前記強吸入強排出ユニットは基礎片と、前記基礎片に複数設置される強吸入強排出部とを備え、
前記各々強吸入強排出部は更に、
前記強吸入強排出部の上部に設置される上部孔と、
前記強吸入強排出部内に設置され前記上部孔と通じる内部空間と、
前記強吸入強排出部の底部に設置される底部孔と
を備え、
前記内部空間と前記防水通気ユニットとは連通しており、
前記複数の強吸入強排出部の間は、接続され一体化しているか、或いは互いに分離されているか、或いは複数の強吸入強排出部の一部が接続され一体化し、一部が互いに分離されていることを特徴とする請求項１に記載の防水通気性靴底。
【考案の詳細な説明】
【技術分野】
【０００１】
本考案は、靴用品に関し、より詳しくは、防水性及び通気性を備える靴底に関する。
【背景技術】
【０００２】
靴の製造過程において、靴底の防水性及び通気性は常に設計の重要な問題のひとつである。靴底の防水通気性は使用者の履き心地、そして脚部の健康状態に大きな影響を与える。
【０００３】
中国特許出願第ＣＮ２００５８０００２５５８．２号には、通気性及び防水性を有する靴底及び表面を備える靴について記載されている。前記靴は防水通気性靴底及び部品を備える。前記部品はその上方区域が前記靴底と接続されており、前記部品は、外部通気性靴面、裏張り、前記靴面と前記裏張りの間に位置する防水通気性薄膜及び部分的に通気孔がある或いは通気性を備える内底を備える。前記内底は少なくとも前記靴面及び前記防水通気性薄膜と接続されている。このような構造の靴底は内底にある穴により靴底の透気性を強化している。そして同時に防水性を与えるために、前記構造の靴底は防水通気膜を備える。このような構造の靴底は確かに防水通気性を備えるが、前述の発明内容では、防水通気膜は靴底に一層ずつ重ねて貼られている。ところが、靴底の生産過程において、一般的には製造ラインで行われているため、同一の製造ラインで異なる規格の靴底に合わせて防水通気膜を貼る必要がある。そのため、数多くの防水通気膜を必要とし、更に防水通気膜を貼る過程には時間も手間も相当かかり、生産効率は非常に低くなる。更に前述の発明に記載されている靴底は、防水通気性を強化するために従来の防水通気膜を使用しており、靴底の空気循環性能は限られている。
【０００４】
その他、中国特許出願第ＣＮ９１２２１７３３．２号には、通気性靴底について記載されている。前記通気性靴底はゴム或いはプラスチックから成る靴底に布を貼り合わせて作られている。前記靴底の布側に位置する部分は更に横溝及び縦溝を備える。前記靴底構造を採用した靴を履き歩いた際、前記靴底は密着と離脱を繰り返し、それにより足と靴底の間の溝に気圧の変化が発生し、空気が進出する。これにより通気効果を達成するが、このような溝設計は従来の靴の製造過程において、かかと部分の溝に力がかかった場合、横溝及び縦溝が一体化しているため、外部からの力による変形にはかなり制限がある。そのため、このような構造形式の靴底は通気性を強化する方法としては依然として十分ではなく、改良する必要がある。
【考案の概要】
【考案が解決しようとする課題】
【０００５】
従来の技術に存在する問題を解決するため、本考案の目的は、防水通気膜を靴底に設置する工程を簡略化できる防水通気性靴底を提供することにある。
【０００６】
また、本考案の目的は、空気の循環効率をより高める防水通気性靴底を提供することにある。
【０００７】
さらに、本考案の目的は、キネシオロジーを応用する防水通気性靴底を提供することにある。
【課題を解決するための手段】
【０００８】
上記課題を解決するために、本考案は防水通気性靴底を提供する。本考案の防水通気性靴底は、外気と通じている通気孔を備える大底、防水通気ユニット及び前記通気孔を覆う防水通気膜を備える。前記防水通気ユニットは更に接続環を備える。前記接続環は前記防水通気膜を接続するために、前記防水通気膜の周囲に設置される。これにより、本考案の嵌め込み型防水通気性靴底を形成する。
【０００９】
本考案の実施例として、前記大底は更に嵌め込み槽を備える。前記嵌め込み槽及び前記通気孔は対応した位置関係にある。前記防水通気ユニットは前記嵌め込み槽の中に収納され、密封される。前記嵌め込み槽は前記大底の上部から内部へ凹んだ形であり、前記通気孔は前記嵌め込み槽の底部から前記大底の底部へ貫通している。これにより本考案の半嵌め込み型防水通気性靴底を形成する。
【００１０】
本考案による防水通気性靴底において、望ましくは、前記大底は更に嵌め込み槽を備えるものである。前記嵌め込み槽及び前記通気孔は対応した位置関係にある。前記防水通気ユニットは前記嵌め込み槽の中に収納され、密封される。前記嵌め込み槽は前記大底の上部から底部へ貫通しており、前記大底は前記嵌め込み槽を嵌め込み、密封するための嵌め込みユニットを備える。前記通気孔は前記嵌め込みユニットに設置され、前記嵌め込みユニットの上部から底部まで貫通している。前記防水通気ユニットは前記嵌め込みユニット上に設置される。これにより本考案の全嵌め込み型防水通気性靴底を形成する。
【００１１】
本考案の実施例である半嵌め込み型防水通気性靴底において、前記嵌め込み槽は更に凹槽を備え、前記接続環は前記凹槽に収納され、密封されている。
【００１２】
本考案による防水通気性靴底において、全嵌め込み型防水通気性大底は、望ましくは、その底部に更に底部槽を備える。前記底部槽の周囲の長さは前記嵌め込み槽の周囲の長さより大きい。前記嵌め込みユニットは更に基部及び前記基部に形成される突縁部を備える。前記突縁部の輪郭は前記嵌め込み槽の周囲にマッチして密封することが可能である。前記基部の周囲は前記底部槽の周囲にマッチして密封されている。前記通気孔は前記基部の前記突縁部の内側に設置され、前記基部の上部から底部へ貫通している。
【００１３】
本考案による防水通気性靴底において、全嵌め込み型防水通気性靴底は、望ましくは、前記嵌め込みユニットの前記突縁部の内側に凹槽を備え、前記接続環は前記凹槽に収納され、密封されている。
【００１４】
本考案による防水通気性靴底において、代わりに、前記大底の上部が平坦であってもよく、前記防水通気ユニットは前記接続環により前記大底と接続、密封される。これにより本考案の非嵌め込み型防水通気性靴底を形成する。或いは、前記大底の上部は前記接続環とマッチする環状凹槽を備え、前記接続環は前記環状凹槽に収納される。
【００１５】
本考案の防水通気性靴底は、半嵌め込み型、全嵌め込み型或いは非嵌め込み型のいずれにおいても、望ましくは、前記接続環の内縁に突出リングを備え、前記防水通気膜は前記突出リングの表面に結合される。
【００１６】
本考案による防水通気性靴底は、半嵌め込み型、全嵌め込み型或いは非嵌め込み型のいずれにおいても、望ましくは、前記防水通気ユニットは更に布層を備え、前記布層は前記防水通気膜の下に設置され、前記防水通気膜と共に前記接続環に結合される。
【００１７】
本考案による防水通気性靴底は、半嵌め込み型、全嵌め込み型或いは非嵌め込み型のいずれにおいても、望ましくは、前記防水通気性靴底は更に、前記防水通気ユニット上に対応するように強吸入強排出ユニットを備える。前記強吸入強排出ユニットは基礎片及び前記基礎片に複数設置される強吸入強排出部を備える。前記強吸入強排出部は更に、前記強吸入強排出部の上部に設置される上部孔、前記強吸入強排出部内に設置され前記上部孔と通じる内部空間、前記強吸入強排出部の底部に設置される底部孔を備える。底部孔が前記内部空間及び前記防水通気ユニットは繋がっている。
【００１８】
本考案による防水通気性靴底は、半嵌め込み型、全嵌め込み型或いは非嵌め込み型のいずれにおいても、望ましくは、複数の強吸入強排出部の間は接続され一体化しているか、或いは互いに分離されているか、或いは複数の強吸入強排出部の一部が接続され一体化し、一部が互いに分離されている。
【考案の効果】
【００１９】
本考案は従来の技術と比べ、以下のようなメリットがある。
【００２０】
（１）本考案による防水通気性靴底は、防水通気ユニットが防水通気膜及び接続環を備え、前記接続環が前記防水通気膜の周囲に設置され、結合され、大底に嵌め込み槽を備えることで、前記防水通気ユニットは単独で配置及び製造することが可能であり、従来の防水通気膜の設置工程を簡略化し、あらゆる種類の靴底に対して適用することが可能である。
【００２１】
（２）本考案による防水通気性靴底は、強吸入強排出ユニットを設置することで靴底の空気の循環を大きく向上することが可能である。
【００２２】
（３）本考案による防水通気性靴底は、キネシオロジーを基に、通気孔、防水通気ユニット及び強吸入強排出構造に設計しているため、靴底の空気の循環を更に高め、設計を更に正確なものにすることが可能である。
【図面の簡単な説明】
【００２３】
添付の図面は本考案をより理解し易いために提出して、明細書と合わせて、明細書の一部になっている。図面にて本考案の実施形態を表し、本明細書と共に本考案の原理を説明する。全部の図面には、同じの元件も類似の元件もできるだけ同じ番号にて表記している。
【００２４】
【図１】本考案による防水通気性靴底の実施例である半嵌め込み型防水通気性靴底を示す分解図である。
【００２５】
【図２】本考案による防水通気性靴底の実施例である半嵌め込み型防水通気性靴底の防水通気ユニットを示す分解図である。
【００２６】
【図３】本考案による防水通気性靴底の実施例である半嵌め込み型防水通気性靴底の防水通気ユニットを示す分解図である。
【００２７】
【図４】本考案による防水通気性靴底の実施例である半嵌め込み型防水通気性靴底の強吸入強排出ユニットを示す分解図である。
【００２８】
【図５】本考案による防水通気性靴底の実施例である半嵌め込み型防水通気性靴底の組み合わせを示す説明図である。
【００２９】
【図６】本考案による防水通気性靴底の実施例である全嵌め込み型防水通気性靴底を示す分解図である。
【００３０】
【図７】本考案による防水通気性靴底の実施例である全嵌め込み型防水通気性靴底を示す分解図である。
【００３１】
【図８】本考案による防水通気性靴底の実施例である全嵌め込み型防水通気性靴底の組み合わせを示す説明図である。
【００３２】
【図９】本考案による防水通気性靴底の模様及び通気孔の設置を示す説明図である。
【００３３】
【図１０】本考案による防水通気性靴底の圧力がかかる部分を示す説明図である。
【考案を実施するための形態】
【００３４】
次に、本考案の望ましい実施形態を詳しく説明する。望ましい実施形態の実施例の構造を対応の図面に表している。
【００３５】
本考案の防水通気性靴底は３つの実施例を有する。すなわち、半嵌め込み型防水通気性靴底、全嵌め込み型防水通気性靴底及び非嵌め込み型防水通気性靴底である。しかし、これは本考案の範囲を上記３つの実施例に限定するものではない。図１乃至図５は半嵌め込み型防水通気性靴底の構造を示す図であり、図６乃至図８は全嵌め込み型防水通気性靴底の構造を示す図である。本考案の半嵌め込み型及び全嵌め込み型防水通気性靴底は、大底に設置される嵌め込み槽及び防水通気ユニットの設置方式により区別している。嵌め込み槽が大底を貫通している場合は全嵌め込み型、嵌め込み槽が大底を貫通していない場合は半嵌め込み型である。また、靴の設計の慣例では、通気孔は通常、靴底が完成してから孔を開けるため、靴底に設置される通気孔は図１、図６及び図７には示されておらず、図９にのみ例示する。
また、本考案の指す「上部」は靴底が人体の足の裏と接触する側を指し、「底部」とは靴底が地面と接触する側を指す。「縦方向」は足の裏から地面への方向を指す。
【００３６】
以下、図面を参照しながら、本考案の具体的な実施例を詳細に説明する。
【００３７】
次に、図１〜図５及び図９を参照しながら、本考案の半嵌め込み型防水通気性靴底の構造を説明する。
【００３８】
図１は本考案の防水通気性靴底の実施例である半嵌め込み型防水通気性靴底を示す分解図である。図２は本考案の防水通気性靴底の実施例である半嵌め込み型防水通気性靴底の防水通気ユニットを示す分解図である。本考案の半嵌め込み型防水通気性靴底は、大底１０及び防水通気ユニット４０を備える。靴底の通気性を強化するため、大底１０は外気と通じる通気孔１４０を備える。図９に示すように、防水通気ユニット４０は通気孔１４０を覆う防水通気膜４２０を備える。防水通気ユニット４０を靴底に設置する工程を簡略化するために、図２に示すように、防水通気ユニット４０は更に接続環４４０を備える。接続環４４０は防水通気膜４２０の周囲に設置され、防水通気膜４２０と結合される。大底１０は更に嵌め込み槽１０２を備える。嵌め込み槽１０２及び通気孔１４０は対応した位置関係にあり、防水通気ユニット４０は嵌め込み槽１０２に収納され、密封される。
【００３９】
本実施例において、嵌め込み槽１０２は大底１０の上部から大底１０の内部に向かって一定の深さの凹みを有し、通気孔１４０は嵌め込み槽１０２の底部から大底１０の底部まで貫通している。この構造により、防水通気膜４２０の底部は嵌め込み槽１０２に組み込まれ、嵌め込み槽１０２の底面と結合される。或いは、防水通気膜４２０の底部は直接嵌め込み槽１０２に組み込まれ、防水通気膜４２０の周囲は嵌め込み槽１０２の縦方向の周囲面と結合している。
【００４０】
図１において、半嵌め込み型防水通気性靴底は更に突縁部２０を備える。本実施例の製造工程において、突縁部２０は大底１０と一体成型される。よって本考案の大底は図１の大底１０を指し、更には大底１０及び突縁部２０を結合したものを指す。
【００４１】
次に、図６〜図８及び図９を参照しながら、本考案の全嵌め込み型防水通気性靴底の構造を説明する。
【００４２】
図６、図７及び図８の如き、本考案の全嵌め込み型防水通気性靴底は、大底１０及び防水通気ユニット４０を備える。靴底の通気性を強化するため、大底１０は外気と通じる通気孔１４０を備える。図９に示すように、防水通気ユニット４０は通気孔１４０を覆う防水通気膜４２０を備える。防水通気ユニット４０を靴底に設置する工程を簡略化するために、図２に示すように、防水通気ユニット４０は更に接続環４４０を備える。接続環４４０は防水通気膜４２０の周囲に設置され、防水通気膜４２０と結合される。大底１０は更に嵌め込み槽１０２を備える。嵌め込み槽１０２及び通気孔１４０は対応した位置関係にあり、防水通気ユニット４０は嵌め込み槽１０２に収納され、密封される。
【００４３】
本実施例において、嵌め込み槽１０２は大底１０の上部から大底１０の底部まで貫通している。大底１０は更に嵌め込み槽１０２に組み込まれ、密閉される嵌め込みユニット１２０を備える。通気孔１４０は嵌め込みユニット１２０に設置され、嵌め込みユニット１２０の上部から嵌め込みユニット１２０の底部まで貫通している。このような構造により、防水通気膜４２０の底部は嵌め込みユニット１２０の中に嵌め込み、嵌め込みユニット１２０の上部面と結合される。或いは、防水通気膜４２０の底部を直接嵌め込み槽１０２に嵌め込み、防水通気膜４２０の周囲は嵌め込み槽１０２の縦方向の周囲面と結合している。
【００４４】
図６及び図７に示すように、嵌め込みユニット１２０を嵌め込み槽１０２と緊密に結合するために、嵌め込み槽１０２の底部は更に底部槽１０２０を備える。底部槽１０２０の周囲の長さは嵌め込み槽１０２の周囲の長さより大きい。底部槽１０２０及び嵌め込み槽１０２とは連続し、階段状になる。このような階段状の構造により、嵌め込みユニット１２０は、突縁部１２００及び基部１２２０を有する。突縁部１２０は基部１２２０上に形成され、突縁部１２００の輪郭は嵌め込み槽１０２の周囲とマッチし密封される。基部１２２０の周囲は底部槽１０２０の周囲とマッチし密封される。嵌め込みユニット１２０を大底１０の嵌め込み槽１０２に組み込む際、嵌め込みユニット１２０の突縁部１２００の輪郭は嵌め込み槽１０２の周囲とマッチし、嵌め込みユニット１２０の基部１２２０の周囲は底部槽１０２０の周囲とマッチしている。防水通気ユニット４０は嵌め込みユニット１２０の突縁部１２０の内側に設置され、防水通気ユニット４０の周囲は突縁部１２００の内側とマッチしている。
【００４５】
勿論、嵌め込みユニット１２０の構造から突縁部１２００を取り除いてもよい。この時、底部槽１０２０の周囲と嵌め込み槽１０２の周囲とが一致するため、嵌め込みユニット１２０の周囲と嵌め込み槽１０２の周囲が直接対応になるので、構造の簡略化が可能である。更に、嵌め込みユニット１２０において、多種の形式にすることができ、例えば、突縁部を複数段の階段状にし、同時に底部槽１０２０も対応して複数段の階段状にするような形式でもよい。
【００４６】
本考案の防水通気性靴底は、半嵌め込み型、全嵌め込み型のいずれにおいても、防水通気ユニット４０が接続環４４０を備える際、接続環４４０は一定の厚みを備える。図１に示すように、半嵌め込み型の場合、接続環４４０を嵌め込み槽１０２に更に緊密に結合させるために、嵌め込み槽１０２内の大底に凹槽１０４を備え、これにより接続環４４０を凹槽１０４に入れることで、更に優れた結合関係を形成する。全嵌め込み型の場合、接続環４４０を嵌め込み槽１０２及び嵌め込みユニット１２０に更に緊密に結合させるために、嵌め込みユニット１２０の突縁部１２００の内部に凹槽１２４０を備え、接続環４４０を凹槽１２４０に入れることで、更に優れた結合関係を形成する。この時、凹槽１０４或いは凹槽１２４０と接続環４４０との間の隙間を密封することで、通気孔１４０から入ってくる水が前記隙間を通過し、靴底内に侵入してくるのを防ぐ。
【００４７】
ここで注意すべき点は、半嵌め込み型における嵌め込み槽及び防水通気ユニット組み合わせ関係と、全嵌め込み型における嵌め込み槽、防水通気ユニット、底部槽、嵌め込みユニットの組み合わせ関係は、その構造を入れ替えても、上述の本考案の実施例と同様な効果をもたらすことである。
【００４８】
本発明の実施例において、大底に嵌め込み槽を設置しないものを非嵌め込み型防水通気性靴底（図示せず）とする。非嵌め込み型防水通気性靴底は大底が平坦であり、嵌め込み槽を有しない。防水通気ユニットは接続環により大底に結合し、密封される。
【００４９】
代わりに、半嵌め込み型防水通気性靴底において、嵌め込み槽１０２を設置せず、大底の上部面に接続環とマッチし、接続環を収納する凹槽１０４（ここでは、その凹槽は環状凹槽とも呼ぶ）を設置する。接続環は前記環状凹槽の中に収納、密封されることで、防水通気ユニットと大底の凹凸がマッチしてワンタッチ嵌合で接続される。
【００５０】
本考案の防水通気性靴底は、半嵌め込み型、全嵌め込み型或いは非嵌め込み型のいずれも、水の浸入を防ぎ、靴底に通気性を備えさせるために防水通気膜４２０を少なくとも１層備える。
【００５１】
更に、防水通気膜４２０を接続環４４０と結合させるため、図２に示すように、接続環４４０の内周上に突出部４４０２を備える。防水通気膜４２０は突出部４４０２の表面に直接結合される。
【００５２】
本考案の防水通気性靴底は、半嵌め込み型、全嵌め込み型或いは非嵌め込み型のいずれにおいても、防水通気ユニット４０は更に布層（図示せず）を備える。前記布層は防水通気膜４２０の下に設置され、防水通気膜４２０と共に接続環４４０に結合される。前記布層は防水通気ユニットの強度及び柔軟性を向上させるために使用され、防水通気膜が圧力を受ける過程で破れるのを防ぐ。前記布層は、外気の水が通気孔１４０を通って侵入した際、前記水の汚物を濾過し、臭いを除去する効果がある。前記布層は不織布とし、防水通気ユニット４０は前記布層を少なくとも１層備える。
【００５３】
本考案の防水通気性靴底は、半嵌め込み型、全嵌め込み型或いは非嵌め込み型のいずれにおいても、前記防水通気性靴底は更に、防水通気ユニット４０上に対応するように強吸入強排出ユニット６０を備える。強吸入強排出ユニット６０は基礎片６１０及び基礎片６１０に複数設置される強吸入強排出部６００を備える。強吸入強排出部６００は更に、強吸入強排出部６００の上部に設置される上部孔６２０、強吸入強排出部６００内に設置され上部孔６２０と通じる内部空間（図示せず）、強吸入強排出部６００の底部に設置される底部孔６６０を備える。前記内部空間及び防水通気ユニット４０は繋がっている。
【００５４】
前記強吸入強排出ユニット６０を設置することで、靴底の通気性を強化している。強吸入強排出部６００は人体の足による圧力を受けた際、前記内部空間の体積が圧縮され、これにより気体が上部孔６２０、前記内部空間、底部孔６６０、防水通気膜４０及び通気孔１４０に存在する気体の通り道から強制的に外気へ放出される。足が浮き上がった際、強吸入強排出部６００は圧力がマイナス圧力になり、これにより外気から空気を吸い込むことで優れた換気性能を実現する。
【００５５】
強吸入強排出部６００のいずれは柱形、球形、錐形或いはこれらの組み合わせから成り、前述の換気性能を実現できるものであればよい。例えば、強吸入強排出部６００の材料はゴムのような変形しやすいものから成る。
【００５６】
複数の強吸入強排出部６００の間は接続され一体化しているか、或いは互いに分離されているか、或いは複数の強吸入強排出部６００の一部分が接続され一体化し、一部分が互いに分離されている。前述の接続とは基礎片６１０を介して接続されていることを指すものではなく、２つの強吸入強排出部６００のそれぞれの側壁が接続されていることを指す。
【００５７】
図１から図９までに示した実施例には、防水通気ユニット、強吸入強排出ユニット及び通気孔は足の前方の足裏にあたる部分に設置するが、勿論、かかとの足裏部分或いはその両方に設置してもよい。また、大底全体に設置してもよいとする。
【００５８】
図１０は本考案の防水通気性靴底の圧力がかかる部分を示す説明図である。防水通気ユニット、強吸入強排出ユニット及び通気孔の設置をキネシオロジーに基づいたものにするため、設置に適した位置を図１０に示す。図１０に示すＦは人間のつま先に当たる部位である。Ｆ０は外側の足裏部分、ＦＩは内側の足裏部分、Ｂはかかと部分を指す。通気孔１４０は大底のつま先、外側の足裏部分、内側の足裏部分、かかと部分に設置される。
【００５９】
上述において、本発明の説明の利便性のために最良の実施例を挙げて説明したが、これらの実施例は本発明の請求の範囲を限定するものではなく、本発明に基づく本発明の要旨を逸脱しないあらゆる変更は本発明の特許請求の範囲に含まれる。
【符号の説明】
【００６０】
１０        大底
１０２      嵌め込み槽
１０４      凹槽
１２０      嵌め込みユニット
１４０      通気孔
１０２０    底部槽
１２００    突縁部
１２２０    基部
１２４０    凹槽
２０        突縁部
４０        防水通気ユニット
４２０      防水通気膜
４４０      接続環
４４０２    突出リング
６０        強吸入強排出ユニット
６００      強吸入強排出部
６１０      基礎片
６２０      上部孔
６６０      底部孔
Ｆ          人間のつま先に当たる部位
Ｆ０        外側の足裏部分
ＦＩ        内側の足裏部分
Ｂ          かかと部分
【図１】
0003182709.tif 000003
【図２】
0003182709.tif 000004
【図３】
0003182709.tif 000005
【図４】
0003182709.tif 000006
【図５】
0003182709.tif 000007
【図６】
0003182709.tif 000008
【図７】
0003182709.tif 000009
【図８】
0003182709.tif 000010
【図９】
0003182709.tif 000011
【図１０】
0003182709.tif 000012